(57)【要約】  【課題】      あらゆる方向に対して十分な量の光をむらなく照射することのできる、マーカーランプを提供する。  【解決手段】  マーカーランプ１０は、中央部にソケット２８を有するマーカーベース１２と、ソケット２８に着脱自在に装着された光源ユニット１６と、光源ユニット１６を覆うようにしてマーカーベース１２に装着されたドーム状のマーカーキャップ１８とを備えている。光源ユニット１６は、ソケット２８に着脱自在に挿し込まれた口金４６と、透光性と光反射性とを併有する材料からなり、口金４６に取り付けられた中空のリフレクタ６２と、リフレクタ６２の中空部に配設された中央発光ダイオード６４と、リフレクタ６２の周辺に配設された複数の周辺発光ダイオード６６とを有しており、リフレクタ６２の内外面の少なくとも一方は多面構造に形成されている。【選択図】        図１
2006302758.tif 000002
【特許請求の範囲】
【請求項１】
中央部にソケットを有するマーカーベースと、前記ソケットに着脱自在に装着された光源ユニットと、前記光源ユニットを覆うようにして前記マーカーベースに装着されたドーム状のマーカーキャップとを備えるマーカーランプにおいて、
前記光源ユニットは、前記ソケットに着脱自在に挿し込まれた口金と、透光性と光反射性とを併有する材料からなり、前記口金に取り付けられた中空のリフレクタと、前記リフレクタの中空部に配設された中央発光ダイオードと、前記リフレクタの周辺に配設された複数の周辺発光ダイオードとを有し、前記リフレクタの内外面の少なくとも一方は多面構造である、マーカーランプ。
【請求項２】
前記リフレクタは、出光方向端部が開放され、その反対側の端部が底部によって閉塞された有底筒状に形成されており、前記底部には貫通孔が形成されており、前記貫通孔に挿通された固定手段によって前記リフレクタが前記口金に固定されている、請求項１に記載のマーカーランプ。
【発明の詳細な説明】
【技術分野】
【０００１】
本発明は、大型トラックのような大型車両の車幅を明示する標識として、あるいは装飾として、荷台その他の必要箇所に取り付けられるマーカーランプに関する。
【背景技術】
【０００２】
近年では、消費電力の小さい発光ダイオードを用いたマーカーランプが種々開発されており、その一例が特開平１０−３１９０５号公報（特許文献１）に開示されている。この従来のマーカーランプ１は、図９に示すように、筒状のリフレクタ２と、リフレクタ２の内部に配設された発光ダイオード３ａと、リフレクタ２の周辺に環状に配設された複数の発光ダイオード３ｂと、ドーム状の前面レンズ４とによって構成されており、リフレクタ２の内外面のいずれか一方には、反射膜（図示省略）が形成されていた。そして、発光ダイオード３ａおよび３ｂを発光させた際には、中央部の発光ダイオード３ａから出射された光が前面レンズ４の中央部へ照射されるとともに、周辺部の発光ダイオード３ｂから出射された光がリフレクタ２の反射膜で反射されて前面レンズ４の側部へ照射されていた。
【特許文献１】特開平１０−３１９０５号公報
【発明の開示】
【発明が解決しようとする課題】
【０００３】
従来のマーカーランプ１（図９）では、リフレクタ２の内外面のいずれか一方に反射膜が形成されていたので、中央部の発光ダイオード３ａから出射された光と周辺部の発光ダイオード３ｂから出射された光とが反射膜によって分断されることとなり、前面レンズ４の中央部と側部との境界部Ａにおいて光量不足が生じていた。また、リフレクタ２の内側空間には、多くの発光ダイオード３ａを配設できないため、前面レンズ４の中央部へ照射される光量は、側部へ照射される光量よりも少なくなり、境界部Ａにおける光量不足と相俟って、マーカーランプ１に光量むらが生じていた。
【０００４】
それゆえに、本発明の主たる解決課題は、あらゆる方向に対して十分な量の光をむらなく照射することのできる、マーカーランプを提供することである。
【課題を解決するための手段】
【０００５】
請求項１に記載した発明は、「中央部にソケット２８を有するマーカーベース１２と、前記ソケット２８に着脱自在に装着された光源ユニット１６と、前記光源ユニット１６を覆うようにして前記マーカーベース１２に装着されたドーム状のマーカーキャップ１８とを備えるマーカーランプ１０において、前記光源ユニット１６は、前記ソケット２８に着脱自在に挿し込まれた口金４６と、透光性と光反射性とを併有する材料からなり、前記口金４６に取り付けられた中空のリフレクタ６２と、前記リフレクタ６２の中空部に配設された中央発光ダイオード６４と、前記リフレクタ６２の周辺に配設された複数の周辺発光ダイオード６６とを有し、前記リフレクタ６２の内外面の少なくとも一方は多面構造である、マーカーランプ１０」である。
【０００６】
この発明では、複数の周辺発光ダイオード６６から出射された光の一部がリフレクタ６２で反射されてマーカーキャップ１８の側部へ照射されるとともに、他の一部がリフレクタ６２を透過してマーカーキャップ１８の中央部に照射される。一方、中央発光ダイオード６４から出射された光の一部がマーカーキャップ１８の中央部に照射されるとともに、他の一部がリフレクタ６２を透過してマーカーキャップ１８の側部に照射される。また、リフレクタ６２で反射される光、または、リフレクタ６２を透過する光は、多面構造に形成されたリフレクタ６２の内面または外面で拡散される。
【０００７】
請求項２に記載した発明は、請求項１に記載した「マーカーランプ１０」において、「前記リフレクタ６２は、出光方向端部が開放され、その反対側の端部が底部８６によって閉塞された有底筒状に形成されており、前記底部８６には貫通孔９８が形成されており、前記貫通孔９８に挿通された固定手段８２によって前記リフレクタ６２が前記口金４６に固定されている」ことを特徴とする。
【０００８】
この発明は、口金４６に対するリフレクタ６２の固定構造に関するものである。
【発明の効果】
【０００９】
請求項１および２に記載した発明によれば、透光性と光反射性とを併有する材料によってリフレクタを形成しているので、中央発光ダイオードから出射された光と周辺発光ダイオードから出射された光とがリフレクタにおいて分断されることはない。したがって、マーカーキャップの中央部と側部との境界部においても十分な光量を確保でき、光量むらを解消できる。また、リフレクタの内外面の少なくとも一方が多面構造であるため、中央発光ダイオードおよび周辺発光ダイオードから出射された光はリフレクタにおいて拡散されることとなり、これによっても光量むらを解消できる。
【発明を実施するための最良の形態】
【００１０】
図１は、本発明が適用されたマーカーランプ１０を示す断面図である。マーカーランプ１０は、大型トラックのような大型車両の車幅を明示する標識として、あるいは装飾として、荷台その他の必要箇所に必要数だけ取り付けられるものであり、マーカーベース１２、取付金具１４、光源ユニット１６、マーカーキャップ１８および固定リング２０によって構成されている。
【００１１】
マーカーベース１２は、図２に示すように、略円盤状のベース本体２２を有しており、ベース本体２２の外周縁には、雄ネジ部２４が形成されている。また、ベース本体２２の中心部には、孔２６（図１）が形成されており、孔２６の周囲には、筒状のソケット２８が形成されている。さらに、ベース本体２２の所定位置には、ネジ３０が挿通される２つの孔３２が形成されている。そして、ソケット２８の内部には、図１に示すように、コイルバネ３４と電極板３６とが配設されており、電極板３６には、孔２６に挿通された導電線３８の一端が接続されている。
【００１２】
取付金具１４は、ソケット２８に対して光源ユニット１６を取り付けるためのものであり、図２に示すように、ソケット２８の上方に配置される板状の取付部４０と、取付部４０の両端部からマーカーベース１２の上面側へ向けて延びる脚部４２と、脚部４２の先端部から取付部４０と平行に延びる固定部４４とによって構成されている。そして、取付部４０には、光源ユニット１６の口金４６が挿通される孔４８が形成されており、孔４８の内周部には、口金４６の係止突起５０が挿通される溝５２と、口金４６の側面を支持する支持突起５４とが形成されている。また、固定部４４には、ネジ３０（図１）が挿通される孔５６が形成されている。
【００１３】
取付金具１４をマーカーベース１２に取り付ける際には、図１に示すように、取付金具１４の孔５６とマーカーベース１２の孔３２とにネジ３０が挿通され、マーカーベース１２の裏面側に突出した雄ネジ部３０ａにナット５８が螺合される。
【００１４】
光源ユニット１６は、図３に示すように、光源装置６０、口金４６およびリフレクタ６２によって構成されている。
【００１５】
光源装置６０（図３）は、リフレクタ６２の中空部に配設される中央発光ダイオード６４と、リフレクタ６２の周辺部に環状に配設される複数の周辺発光ダイオード６６と、各周辺発光ダイオード６６に適した電流値を得るための抵抗器６８と、周辺発光ダイオード６６と抵抗器６８とを支持する環状の基板７０とによって構成されている。そして、中央発光ダイオード６４と周辺発光ダイオード６６と抵抗器６８とが所定の回路構成に従って配線されている。なお、各周辺発光ダイオード６６の中心（光軸）を通過する仮想円の直径は、特に限定されるものではないが、この仮想円の直径がリフレクタ６２の最大径より大きければ、各周辺発光ダイオード６６から出射された光をマーカーキャップ１８（図１）の中央部付近へより多く照射することができる。また、周辺発光ダイオード６６の数は、特に限定されるものではなく、マーカーランプ１０の用途等に応じて適宜変更可能である。
【００１６】
口金４６（図３）は、ソケット２８（図１、図２）に挿し込まれる口金本体７２と、口金本体７２の上端部に固着された取付金具７４とによって構成されている。
【００１７】
口金本体７２は、中央発光ダイオード６４のリード線を収容する空部を有する筒状部材であり、口金本体７２の下端面には、電極７６（図１）が形成されており、口金本体７２の外側面には、係止突起５０が形成されている。
【００１８】
取付金具７４は、口金本体７２の上端部外則面に固着（溶接等）された板状のリフレクタ取付部７８と、リフレクタ取付部７８の両端部からマーカーベース１２の上面側へ延びて形成された略Ｌ状の基板取付部８０とによって構成されており、リフレクタ取付部７８には、「固定手段」としてのネジ８２が挿通される貫通孔８４が形成されている。
【００１９】
リフレクタ６２は、図３〜図８に示すように、出光方向端部が開放され、その反対側の端部が底部８６によって閉塞された有底筒状のリフレクタ本体８８と、底部８６の下面に突出して形成された筒状の嵌合部９０とを備えており、透光性と光反射性とを併有する材料によって形成されている。なお、透光性と光反射性とを併有する材料としては、透明または半透明の合成樹脂（アクリル等）やガラス等を用いることができる。
【００２０】
リフレクタ本体８８は、中央発光ダイオード６４および周辺発光ダイオード６６から出射された光の一部を透過させるとともに、他の一部を反射させる機能を有するものであり、リフレクタ本体８８の側壁は、周辺発光ダイオード６６から出射された光をマーカーキャップ１８の側部へ向けて反射させることのできるように、略逆円錐台状に形成されている。また、リフレクタ本体８８の内外面の少なくとも一方は、光を拡散させることのできるように、多面構造に形成されている。
【００２１】
ここで、「多面構造」とは、滑らかに連続する一つの面ではなく、境界部に稜線等が現れる多数の面が集合した構造を意味するが、多数の面の集合態様は特に限定されるものではない。本実施例の多面構造は、図４に示すように、断面形状が多角形（この実施例では２４角形）である多角環状面９２と、断面形状が円形である円環状面９４とを軸方向に交互に並べることによって構成されており、多角環状面９２の各面によって光が拡散される。
【００２２】
そして、底部８６の中央部には、中央発光ダイオード６４またはそのリード線を収容する収容孔９６が形成されており、底部８６における収容孔９６を挟む位置には、「固定手段」としてのネジ８２が挿通される貫通孔９８が形成されている。さらに、底部８６の下面には、光源装置６０の配線を収容する放射状の溝１００と、口金本体７２の上端部を収容する環状の溝１０２とが形成されている（図６）。
【００２３】
嵌合部９０は、リフレクタ６２を口金４６に取り付ける際に、口金本体７２に嵌合される筒状部分であり、嵌合部９０の中心部には、底部８６に形成された収容孔９６に連通する孔１０４が形成されており、嵌合部９０の側面には、光源装置６０の配線を収容する線状の溝１０６が軸方向へ延びて形成されている。この溝１０６と底部８６の下面に形成された溝１００とは、略Ｌ状に連通されており、これらの溝１００および１０６には、光源装置６０の配線（図示省略）が連続的に収容される。
【００２４】
光源ユニット１６を組み立てる際には、図３に示すように、光源装置６０の基板７０が口金４６の基板取付部８０に接着、溶接またはハンダ付け等によって固定され、リフレクタ６２の嵌合部９０が口金本体７２の上端部に嵌合される。そして、リフレクタ６２の底部８６に形成された貫通孔９８と、口金４６のリフレクタ取付部７８に形成された貫通孔８４とに「固定手段」としてのネジ８２が挿通され、このネジ８２にナット１０８が螺合される。なお、「固定手段」としては、ネジ８２に代えて、締結機能を有するピン、ワイヤまたはタッピングビス等が用いられてもよい。タッピングビスが用いられる場合には、先ず、タッピングビスの先端が口金４６の下面側から貫通孔８４に挿通され、その後、これがリフレクタ６２の貫通孔９８にねじ込まれることになる。
【００２５】
光源ユニット１６をソケット２８に装着する際には、図２に示すように、口金４６の係止突起５０が取付金具１４の溝５２に位置決めされ、口金４６がコイルバネ３４の付勢に抗してソケット２８に挿し込まれる。そして、係止突起５０が溝５２を通過すると、口金４６が周方向へ回動されるとともに、挿込力が解除される。すると、口金４６がコイルバネ３４によって押し戻され、係止突起５０が取付部４０における孔４８の内周部に係止される。
【００２６】
マーカーキャップ１８は、図１に示すように、光源ユニット１６を覆うとともに、発光ダイオード６４および６６の光を透過させる機能を有するものであり、透光性材料（透明ガラスまたは透明合成樹脂等）によってドーム状に形成されている。そして、このマーカーキャップ１８が、マーカーベース１２の雄ネジ部２４に螺合される固定リング２０によってマーカーベース１２に取り付けられる。
【００２７】
光源装置６０に電流を付与して中央発光ダイオード６４および周辺発光ダイオード６６を発光させると、周辺発光ダイオード６６から出射された光の一部がリフレクタ６２で反射されてマーカーキャップ１８の側部へ照射されるとともに、他の一部がリフレクタ６２を透過してマーカーキャップ１８の中央部に照射される。一方、中央発光ダイオード６４から出射された光の一部がマーカーキャップ１８の中央部に照射されるとともに、他の一部がリフレクタ６２を透過してマーカーキャップ１８の側部に照射される。したがって、マーカーキャップ１８の中央部と側部との境界部においては、中央発光ダイオード６４からの光と周辺発光ダイオード６６からの光とが重なることとなり、境界部における光量不足の問題は生じない。また、リフレクタ６２においては、多面構造に形成された内面または外面において光が拡散されるので、境界部における光量不足を防止できることと相俟って、光量むらを完全に解消できる。
【図面の簡単な説明】
【００２８】
【図１】本発明が適用されたマーカーランプを示す断面図である。
【図２】マーカーベース，取付金具および光源ユニットを示す斜視図である。
【図３】光源ユニットを示す分解斜視図である。
【図４】リフレクタを示す正面図である。
【図５】リフレクタを示す平面図である。
【図６】リフレクタを示す底面図である。
【図７】図４におけるVII-VII線断面図である。
【図８】図６におけるVIII-VIII線断面図である。
【図９】従来のマーカーランプを示す断面図である。
【符号の説明】
【００２９】
１０…  マーカーランプ
１６…  光源ユニット
２８…  ソケット
４６…  口金
６０…  光源装置
６２…  リフレクタ
６４…  中央発光ダイオード
６６…  周辺発光ダイオード
７０…  基板
７２…  口金本体
７４…  取付金具
８２…  ネジ（固定手段）
８６…  底部
８８…  リフレクタ本体
９２…  多角環状面
９４…  円環状面
９６…  収容孔
９８…  貫通孔
【図１】
2006302758.tif 000003
【図２】
2006302758.tif 000004
【図３】
2006302758.tif 000005
【図４】
2006302758.tif 000006
【図５】
2006302758.tif 000007
【図６】
2006302758.tif 000008
【図７】
2006302758.tif 000009
【図８】
2006302758.tif 000010
【図９】
2006302758.tif 000011